(57)【特許請求の範囲】
【請求項１】
共に組み立てられた、および個人用に調製された化粧用製品を取得するために混合されることとなる2つの異なる相をそれぞれが備えるカプセルの対であって、前記2つの異なる相をそれぞれが収容する2つのパウチ（11、21）であって、前記2つのカプセル（1、2）内にそれぞれが備えられ、前記2つのパウチ（11、21）に対する狭隘断面の少なくとも1つの部分を備える連通チャネル（13、23、33）によって相互連結される2つのパウチ（11、21）を備え、前記連通チャネル（13、23、33）の前記狭隘断面の部分が2つの直角屈曲部（13、33、および23、33）を備え、
第1の直角屈曲部（13、33）が、前記連通チャネルのセグメント（13）と、雌コネクタ（20）に嵌入された雄コネクタ（10）と、により形成され、
第2の直角屈曲部（23、33）が、前記雌コネクタ（20）に嵌入された前記雄コネクタ（10）と、前記連通チャネルの別のセグメント（23）と、により形成される、カプセルの対。
【請求項２】
前記2つの直角屈曲部（13、33、および23、33）は、前記2つの直角屈曲部（13、33、および23、33）を備える前記連通チャネル（13、23、33）の前記狭隘断面の部分の少なくとも一部が矩形部の3つの辺を形成するように構成される、請求項1に記載のカプセルの対。
【請求項３】
前記連通チャネル（13、23、33）の前記狭隘断面と前記パウチ（11、21）の一方または他方の断面との間における比率が、通過する調製混合物のせん断を引き起こすのに十分な小ささである、請求項1または2に記載のカプセルの対。
【請求項４】
前記連通チャネル（13、23、33）の前記狭隘断面の部分は、それぞれ前記2つのカプセル（1、2）の一部であり、一方が他方の内部に嵌入する、雄コネクタパーツ（10）および雌コネクタパーツ（20）を備える、請求項2に記載のカプセルの対。
【請求項５】
一方が他方の内部に嵌入する前記雄コネクタパーツ（10）および前記雌コネクタパーツ（20）は、前記連通チャネル（13、23、33）により形成された前記矩形部の前記3つの辺の中の中間辺中に構成され、前記中間辺は、前記矩形部の他の2つの辺に対して垂直である、請求項4に記載のカプセルの対。
【請求項６】
前記直角屈曲部（13、33、および23、33）の中の1つが、前記雌コネクタパーツ（20）の外方端部内に初めに嵌入するように意図された前記雄コネクタパーツ（10）の外方端部の対向側に位置する前記雄コネクタパーツ（10）の内方端部に配置され、前記直角屈曲部（13、33、および23、33）の中の他のものが、前記雄コネクタパーツ（10）の前記外方端部内に初めに嵌入するように意図された前記雌コネクタパーツ（20）の前記外方端部の対向側に位置する前記雌コネクタパーツ（20）の内方端部に配置される、請求項4または5に記載のカプセルの対。
【請求項７】
前記雄コネクタパーツ（10）は、前記雄コネクタパーツ（10）の外方端部の対向側に位置する成形プラスチックのフランジ（18）を有する成形プラスチックの中空チューブであり、前記雌コネクタパーツ（20）は、前記雌コネクタパーツ（20）の外方端部の対向側に位置する成形プラスチックのフランジ（28）を有する成形プラスチックの中空チューブであり、かつ／または前記フランジ（18、28）は、それぞれの前記中空チューブと一体であり、かつ／または前記成形プラスチックは、射出成形ポリマーであり、またはポリプロピレンまたはポリエチレンである、請求項4から6のいずれか一項に記載のカプセルの対。
【請求項８】
前記フランジ（18、28）のそれぞれが、前記フランジ（18、28）を収容しない前記カプセル（1、2）の前記パウチ（11、21）を閉じるフィルム（17）に対して溶接される、請求項7に記載のカプセルの対。
【請求項９】
各パウチ（11、21）が扁平になっており、前記パウチ（11、21）の2つの面の一方（17）が平坦であり、前記パウチ（11、21）の2つの面の他方（16）が、前記パウチに対する機械的圧力による前記パウチ（11、21）の内容物の放出を可能にするように、少なくとも部分的に凸状かつ可撓性である、請求項1から8のいずれか一項に記載のカプセルの対。
【請求項１０】
前記パウチ（11、21）の前記少なくとも部分的に凸状の面（16）は、前記相を収容する熱形成されたシェル（16）により形成され、前記パウチ（11、21）の前記平坦な面（17）は、前記シェル（16）を覆うフィルム（17）により形成され、かつ／または前記フィルム（17）は、前記シェル（16）に対して、または加熱により溶接される、請求項9に記載のカプセルの対。
【請求項１１】
前記連通チャネル（13、23、33）の1つの面（16）が、少なくとも部分的に凸状であり、かつ／または熱形成されたシェル（16）により形成され、前記連通チャネル（13、23、33）の他方の面（17）が、少なくとも部分的に平坦であり、かつ／または前記シェル（16）を覆うフィルム（17）により形成され、かつ／または前記フィルム（17）は、前記シェル（16）に対して、または加熱により溶接される、請求項10に記載のカプセルの対。
【請求項１２】
前記熱形成されたシェル（16）は、多層であり、有利にはポリオレフィンポリマー内方層を備え、前記フィルム（17）は、多層であり、有利にはポリオレフィンポリマー内方層を備える、請求項10または11に記載のカプセルの対。
【請求項１３】
前記2つのカプセル（1、2）の前記平坦な面（17）同士は、対面配置される、請求項9から12のいずれか一項に記載のカプセルの対。
【請求項１４】
前記カプセル（1、2）は、使い捨て式の変形可能なカプセルである、請求項1から13のいずれか一項に記載のカプセルの対。
【請求項１５】
前記カプセル（1、2）は、相互の対向側に配置される、請求項1から14のいずれか一項に記載のカプセルの対。
【請求項１６】
前記連通チャネル（13、23、33）の前記狭隘断面の部分は、その長さの少なくとも一部に関して、10mm2未満の、または5mm2未満の、または2mm2未満の断面を有する、請求項1から15のいずれか一項に記載のカプセルの対。
【請求項１７】
前記連通チャネル（13、23、33）は、長さの殆どにわたり一定の断面のものである、請求項1から16のいずれか一項に記載のカプセルの対。
【請求項１８】
一定断面の前記連通チャネル（13、23、33）の部分は、0．5〜3mm2の間の、または1〜2mm2の間の断面を有する、請求項17に記載のカプセルの対。
【請求項１９】
一定断面の前記連通チャネル（13、23、33）の部分は、前記パウチ（11、21）のサイズまたは直径の最大でも20％であり、または最大でも15％であり、または最大でも12％であるサイズまたは直径を有する、請求項1から18のいずれか一項に記載のカプセルの対。
【請求項２０】
一定断面の前記連通チャネル（13、23、33）の部分は、前記パウチ（11、21）のサイズまたは直径の少なくとも2％であり、または少なくとも4％であり、または少なくとも8％であるサイズまたは直径を有する、請求項1から19のいずれか一項に記載のカプセルの対。
【請求項２１】
共に組み立てられた、および個人用に調製された化粧用製品を取得するために混合されることとなる2つの異なる相をそれぞれが備えるカプセルの対であって、前記2つの異なる相をそれぞれが収容する2つのパウチ（11、21）であって、前記2つのカプセル（1、2）内にそれぞれが備えられ、前記2つのパウチ（11、21）に対する狭隘断面の少なくとも1つの部分を備える連通チャネル（13、23、33）によって相互連結される2つのパウチ（11、21）を備え、前記連通チャネル（13、23、33）の前記狭隘断面の部分が、相互に対して平行な少なくとも2つの部分（13、23）と、前記2つの部分の間に位置する連結部（33）とを備える、カプセルの対。
【請求項２２】
前記連結部の全体形状が、前記2つの部分に対して実質的に垂直であり、前記連結部と前記2つの部分（13、23）のそれぞれとの間に2つの湾曲状連結部を有する、請求項21に記載のカプセルの対。
【請求項２３】
前記連結部（33）は、前記2つの部分（13、23）に対して実質的に垂直である、請求項21に記載のカプセルの対。
【請求項２４】
混合された場合に個人用に調製された化粧用製品を形成する2つの相の中の一方のみを備えるカプセルであって、前記相を収容するパウチ（11、21）であって、前記パウチ（11、21）に対する狭隘断面の少なくとも1つの部分を備える連通チャネル（13、23、33）によって、混合物の前記2つの相の中の他方を収容するパウチ（11、21）が中に存在する別のカプセル（1、2）に対して連結されるように意図された前記カプセル（1、2）内に備えられるパウチ（11、21）を備え、前記連通チャネルの前記狭隘断面の部分の一部（13、33、および23、33）が直角屈曲部（13、33、および23、33）を備え、前記直角屈曲部（13、33または23、33）が、前記連通チャネルのセグメント（13または23）と、雌コネクタ（20）に嵌入された雄コネクタ（10）と、により形成される、カプセル。
【発明の詳細な説明】
【技術分野】
【０００１】
本発明は、共に組み立てられた、および個人用に調製された化粧用製品を取得するために混合されることとなる2つの異なる相をそれぞれが備えるカプセルの対の分野に関する。
【背景技術】
【０００２】
例えば特許出願FR1459620に記載される先行技術によれば、2つのカプセルが、使用可能な状態にある個人用に調製された化粧用製品を作製するために、これらの2つのカプセルが収容する2つの相を混合させるための機械の中へ導入される。これらの2つのカプセルは、相互の延長部として構成され、これにより、2つのカプセル間に位置する連通チャネルにおける混合物の完全な流体循環が可能となる。
【０００３】
本発明によれば、2つのカプセル間の連通チャネルにおけるこの完全な流体循環により、特に長さに関して、2つのカプセルを収容する混合チャンバのあるバルク性が結果的にもたらされることが認識されている。
【０００４】
本発明は、混合機をさらに小型化するために混合チャンバのコンパクト性の改善を実現するために、これらのカプセルの新しい相対配置と、これらの2つのカプセルを相互連結する連通チャネルの新しいレイアウトとを提案する。
【先行技術文献】
【特許文献】
【０００５】
【特許文献１】特許出願FR1459620
【発明の概要】
【発明が解決しようとする課題】
【０００６】
本発明の目的は、上述の欠点を少なくとも部分的に解消するカプセルの対を提供することである。
【０００７】
さらに具体的には、本発明は、2つの直角曲がり部を備えしたがって好ましくは矩形部の3つの辺を形成するカプセル同士の間の連通チャネルにより相互連結されたカプセルの対を提供することを目的とする。カプセルにより占められる空間の節減は、全体サイズが特に長さ方向に関して縮小されることによりかなりのものとなる。さらに、チャネル内部の混合物の流体循環の阻害を恐れてカプセル同士の間の連通チャネルを屈曲させることを躊躇する問題が解消され、実際に、驚くべきことに、混合物は、2つの直角屈曲部の存在にもかかわらずカプセル同士の間の連通チャネル内で十分に流動的に循環する。
【０００８】
さらに、本発明のいくつかの実施形態によれば、連通チャネル中に直角部を形成する2つの屈曲部を用いたコンパクト性により、カプセルの対が導入され得る機械の2つの興味深い機能のより効率的な構成が助長される。すなわち、第1の機能は、ピストンの圧力により各カプセルの内容物を放出する機能であり、したがって2つのピストンが相互の対向側に位置することが可能となり、第2の機能は、加熱要素との直接的な接触によりカプセルの内容物を加熱する機能であり、したがってこの加熱要素が相互の対向側に配置された2つのカプセルのちょうど間に位置することが可能となる。
【課題を解決するための手段】
【０００９】
これを目的として、本発明は、共に組み立てられた、および個人用に調製された化粧用製品を取得するために混合されることとなる2つの異なる相をそれぞれが備えるカプセルの対であって、2つの異なる相をそれぞれが収容する2つのパウチであって、2つのカプセル内にそれぞれが備えられ、2つのパウチに対する狭隘断面の少なくとも1つの部分を備える連通チャネルによって相互連結される2つのパウチを備え、連通チャネルのこの狭隘断面部分が2つの直角屈曲部を備える、カプセルの対を提供する。
【００１０】
好ましくは、2つの直角屈曲部は、2つの直角屈曲部を備える連通チャネルの狭隘断面部分の少なくとも一部が矩形部の3つの辺を形成するように構成される。
【００１１】
本発明によれば、カプセルの対であって、2つの異なる相をそれぞれが収容する2つのパウチであって、2つのカプセル内にそれぞれが備えられ、2つのパウチに対する狭隘断面の少なくとも1つの部分を備える連通チャネルによって相互連結される2つのパウチを備え、連通チャネルのこの狭隘断面部分が、相互に対して平行な少なくとも2つの部分と、これらの2つの部分の間に位置する連結部とを備える、カプセルの対がさらに提供される。
【００１２】
また、本発明は、混合された場合に個人用に調製された化粧用製品を形成する2つの相の中の一方のみを備えるカプセルであって、前記相を収容するパウチであって、前記パウチに対する狭隘断面の少なくとも1つの部分を備える連通チャネルによって、前記混合物の2つの相の中の他方を収容するパウチが中に存在する別のカプセルに対して連結されるように意図されたカプセル内に備えられるパウチを備え、連通チャネルのこの狭隘断面部分の一部が直角屈曲部を備える、カプセルに関する。
【００１３】
好ましい実施形態によれば、本発明は、以下の特徴の中の1つまたは複数を備え、これらの特徴は、本発明の前述の目的の中の1つに対して1つ、複数、または全てを組み合わせることができる。
【００１４】
好ましくは、連通チャネルの狭隘断面と前記パウチの一方または他方の断面との間における比率が、通過する調製混合物のせん断を引き起こすのに十分な小ささである。
【００１５】
したがって、2つのカプセル内にそれぞれ収容される2つの相の混合物は、より均質なものとなる。
【００１６】
好ましくは、連通チャネルの狭隘断面部分は、それぞれ2つのカプセルの一部であり、一方が他方の内部に嵌入する、雄コネクタパーツおよび雌コネクタパーツを備える。
【００１７】
したがって、カプセル同士を共に組み立て、連通チャネルによりこれらのカプセルを相互連結することが、カプセルごとに1つのコネクタパーツが用意された状態で2つのカプセル間に事前に設置され分配されているコネクタを使用して簡単かつ液密的に実現される。
【００１８】
好ましくは、一方が他方の内部に嵌入する雄コネクタパーツおよび雌コネクタパーツは、連通チャネルにより形成された矩形部の3つの辺の中の中間辺中に構成され、この中間辺は、矩形部の他の2つの辺に対して垂直である。
【００１９】
したがって、コネクタパーツ間の連結部は、2つのカプセル間の連通チャネルのほぼ中間に位置し、各カプセルが、接合前に連通チャネルの均等部分を担持する。
【００２０】
好ましくは、前記屈曲部の中の1つが、雌コネクタパーツの外方端部内に初めに嵌入するように意図された雄コネクタパーツの外方端部の対向側に位置する雄コネクタパーツの内方端部に配置され、前記屈曲部の中の他のものが、雄コネクタパーツの外方端部内に初めに嵌入するように意図された雌コネクタパーツの外方端部の対向側に位置する雌コネクタパーツの内方端部に配置される。
【００２１】
したがって、コネクタパーツとカプセルの中の一方または他方まで続く連通チャネルの残りの部分との間の連結は、2つの屈曲部の一方または他方にて確立され、これにより連結が容易化される。
【００２２】
好ましくは、雄コネクタパーツは、雄コネクタパーツの外方端部の対向側に位置する成形プラスチックフランジを有する成形プラスチック中空チューブであり、雌コネクタパーツは、雌コネクタパーツの外方端部の対向側に位置する成形プラスチックフランジを有する成形プラスチック中空チューブであり、フランジは、好ましくはそれぞれの中空チューブと一体であり、成形プラスチックは、好ましくは射出成形ポリマーであり、有利にはポリプロピレンまたはポリエチレンである。
【００２３】
したがって、カプセルの中の一方または他方まで続く連通チャネルの残りの部分に対するコネクタパーツの一方または他方の事前組立が、簡単かつ頑丈な様式でなされる。
【００２４】
好ましくは、フランジのそれぞれが、前記フランジを収容しないカプセルのパウチを閉じるフィルムに対して溶接される。
【００２５】
したがって、このフィルムは、予期しない離脱を防止するようにこのフィルムを簡単かつしっかりと固定することが可能な安定的かつ平坦な支持部を有する。
【００２６】
好ましくは、各パウチが扁平になっており、パウチの2つの面の一方が平坦であり、パウチの2つの面の他方が、前記パウチに対する機械的圧力によるパウチの内容物の放出を可能にするように、少なくとも部分的に凸状かつ可撓性である。
【００２７】
したがって、その使用の簡易性が改善される。他方では、パウチの平坦面により、カプセルのそれぞれの簡単かつ均一な加熱が可能となる。他方では、パウチの凸状かつ可撓性の面により、カプセルのパウチに対する単純な機械的圧力によってパウチの内容物を完全に放出する簡単な方法が可能となる。
【００２８】
好ましくは、パウチの少なくとも部分的に凸状の面は、前記相を収容する熱形成されたシェルにより形成され、パウチの平坦面は、このシェルを覆うフィルムにより形成され、フィルムは、好ましくはこのシェルに対して、有利には加熱により溶接される。
【００２９】
したがって、各カプセルのパウチの非対称形状が、頑丈なままに留まるカプセルパウチを実現しつつ単純な様式で達成される。
【００３０】
好ましくは、チャネルの1つの面が、少なくとも部分的に凸状であり、好ましくは熱形成されたシェルにより形成され、チャネルの他方の面が、少なくとも部分的に平坦であり、好ましくはこのシェルを覆うフィルムにより形成され、フィルムは、好ましくはシェルに対して、有利には加熱により溶接される。
【００３１】
したがって、平坦であるフィルムが三次元ではあるが事前形成されるシェルを単純に覆うため、製造の簡易さが改善される。単一構造体、すなわちシェルをフィルムで覆うことにより、カプセルパウチとこのカプセルパウチから延在する連通チャネル部分との両方を同時に作製することが可能となる。
【００３２】
好ましくは、熱形成されたシェルは、多層であり、有利にはポリオレフィンポリマー内方層を備え、フィルムは、多層であり、有利にはポリオレフィンポリマー内方層を備える。
【００３３】
ポリオレフィンポリマーは、溶接されることに関して特に非常に適した材料である。
【００３４】
好ましくは、2つのカプセルの平坦面同士は、対面配置される。
【００３５】
したがって、加熱要素は、一定厚さの単純形状を有することにより2つのカプセル間において容易に摺動され得る。
【００３６】
好ましくは、これらのカプセルは、使い捨て式の変形可能なカプセルである。
【００３７】
この場合には、これらのカプセルの構造を単純化することが可能となり、例えば弁と置換し得る単純な破砕容易なシーリングを用いることが可能となる。
【００３８】
好ましくは、これらのカプセルは、相互の対向側に配置される。
【００３９】
コンパクト性の向上がさらに改善される。カプセルの内容物の放出およびカプセルの内容物の加熱という機能が、同様に扱いにくさがより低く、より単純で、より好都合な様式で実現され得る。
【００４０】
好ましくは、チャネルの狭隘部分は、その長さの少なくとも一部に関して、10mm2未満の、好ましくは5mm2未満の、さらにより好ましくは2mm2未満の断面を有する。
【００４１】
したがって、チャネルのこの狭隘部分の少ない回数の往来により、チャネルのこの狭隘部分を通過する混合物におけるせん断がより良好に生成され、このことにより混合物の均質化がより容易かつ高速になる。
【００４２】
好ましくは、前記チャネルは、長さの殆どにわたり、好ましくは全長にわたり一定の断面のものである。
【００４３】
したがって、混合物がチャネルを通過することによる圧力降下を伴う混合物の加速と、その後の圧力上昇を伴う混合物の減速とにより、この通過後の混合物中におけるせん断が助長され、したがって2つの別個のカプセルのパウチの内容物のこの混合における均質化が改善される。
【００４４】
好ましくは、一定断面の前記チャネルの部分は、0.5〜3mm2の間の、好ましくは1〜2mm2の間の断面を有する。
【００４５】
したがって、チャネル断面に関するこの低い数値により、チャネルを通過している混合物が加速され、混合物の圧力が降下され、それによりチャネルから退出する混合物のせん断が改善される。せん断は、より著しいものとなることにより、2つの別個のカプセルのパウチの内容物の混合における均質化を改善する。
【００４６】
好ましくは、前記チャネルは、パウチのサイズまたは直径の最大でも20%であり、好ましくは最大でも15%であり、より好ましくは最大でも12%であるサイズまたは直径を有する。好ましくは、前記チャネルは、パウチのサイズまたは直径の少なくとも2%であり、好ましくは少なくとも4%であり、より好ましくは少なくとも8%であるサイズまたは直径を有する。
【００４７】
チャネルのサイズとパウチのサイズとの間における比率に関するこれらの数値は、第1に、特に有利なせん断しきい値およびしたがって均質化しきい値の実現を可能にする相対的に範囲を絞っていくしきい値の好ましい最大値を保証するものであり、第2に、一方のカプセルのパウチから他方のカプセルの他方のパウチへの混合物の移送のための有利な短い移送時間の維持を可能にする相対的に範囲を絞っていくしきい値の好ましい最小値を保証するものである。
【００４８】
好ましくは、パウチの厚さが、パウチの長さの5%〜30%の間であり、好ましくは10%〜20%の間である。好ましくは、パウチの厚さは、パウチの幅の10%〜50%の間であり、好ましくは20%〜40%の間である。
【００４９】
これらのサイズ比率により、軟質のまたは薄い材料の使用を必要とすることなくカプセルパウチの変形が容易化される。この変形は、パウチの体積対表面積比を一時的に上昇させ、このことは、チャネルを通りパウチ内への混合物全体の送りに対して容易に対応するために有効である。
【００５０】
好ましくは、チャネルを形成する前記狭隘部は、機械的圧力により前記パウチの中の1つの内容物が前記パウチの中の他の1つまで移送されるために十分な狭隘さおよび十分な長さを有することにより、チャネルを形成する前記狭隘部から退出する前記内容物中にせん断を形成し、前記せん断は、前記2つの相の混合物を均質化し、前記均質化された混合物は、最終消費者によるそのままの消費が可能な化粧用製品である。
【００５１】
したがって、取得される混合物の均質性がより高い、最終消費者によるそのままの消費が可能な化粧用製品を作製するための使い捨て式カプセルが提供される。
【００５２】
好ましくは、第1のチャネルのその部分および第2のチャネルのその部分により形成される一定断面チャネルは、0.5〜10mmの間の、好ましくは1〜5mmの間の、より好ましくは2〜4mmの間の長さを有する。
【００５３】
したがって、チャネルから退出する混合物中におけるせん断を助長し混合物の均質化を改善する、加速と圧力降下とのこの組合せ効果は、チャネルを通過する間の期間がより長いことにより得られる。
【００５４】
好ましくは、前記パウチのそれぞれが、前記混合物の全量を収容するのに十分な大きさを有し、より好ましくは前記混合物の全量の1と1/4を収容するのに十分な大きさを有し、さらにより好ましくは前記混合物の全量の1と1/2を収容するのに十分な大きさを有する。有利には、パウチは、変形可能であるが拡張可能ではない。
【００５５】
したがって、パウチの一方から他方のパウチへと混合物が移送される毎に、一部のみまたは殆どではなく全ての混合物がチャネルを通過するため、それにより所与の均質化レベルの実現に必要とされる移送回数が削減される。
【００５６】
好ましくは、前記第1の使い捨て式パウチは、化粧用製品の所定量の賦形剤相を備え、前記第2の使い捨て式パウチは、化粧用製品の所定量の有効成分含有相を備え、前記第2のパウチは、有利には滅菌される。最終消費者による使用直前における賦形剤相と有効成分含有相との混合、ならびにそのまま使用するための単回用量の作製により、化粧品効果に関して不要ではあるが、従来の化粧用製品の経時的な保管を可能にするために従来の化粧品中で通常使用される防腐剤の追加の必要性が解消される。
【００５７】
好ましくは、前記第1の使い捨て式パウチは、化粧用製品の所定量の脂肪相を備え、前記第2の使い捨て式パウチは、化粧用製品の所定量の水性相を備え、前記第2のパウチは、有利には滅菌される。最終消費者による使用直前における脂肪相と水性相との混合、ならびにそのまま使用するための単回用量の作製により、化粧品効果に関して不要ではあるが、従来の化粧用製品の経時的な保管を可能にするために従来の化粧品中で通常使用される防腐剤の追加の必要性が解消される。
【００５８】
脂肪相または賦形剤相は、スキンケアベースのタイプを決定し、一方で水性相または有効成分含有相は、主として作用複合体を構築する。
【００５９】
好ましくは、前記化粧用製品の前記脂肪相は、種々の調合物に対応する種々のタイプのものであってもよく、前記化粧用製品の前記水性相は、最終消費者の種々のスキンケアニーズに対応する種々の有効成分群を備えてもよい。種々の調合物は、例えばローションまたはクリームなどである。したがって、男性または女性であり得る最終消費者は、自身の肌にとって適切なタイプの作用複合体とは無関係に、所望のタイプのスキンケアベースを選択することが可能である。
【００６０】
好ましくは、連結部の全体形状が、それらの2つの部分に対して実質的に垂直であり、前記連結部とそれらの2つの部分のそれぞれとの間に2つの湾曲状連結部を有する。
【００６１】
好ましくは、連結部は、それらの2つの部分に対して実質的に垂直である。
【００６２】
したがって、より良好な折衷案が、コンパクト性の向上と製造の容易さとの間において実現される。
【００６３】
本発明の他の特徴および利点が、例として示され添付の図面を参照とする本発明の好ましい実施形態の以下の説明から明らかになろう。
【図面の簡単な説明】
【００６４】
【図１Ａ】本発明の一実施形態による1対のカプセルに関連付けられた例示のシャトルの概略斜視図である。
【図１Ｂ】本発明の一実施形態による1対のカプセルに関連付けられた例示のシャトルの概略側面図である。
【図２Ａ】シャトル内に1対のカプセルを挿入するステップである、本発明の一実施形態による1対のカプセルに例示のシャトルを関連付ける第1のステップを示す概略図である。
【図２Ｂ】シャトル内に1対のカプセルを配置するステップである、本発明の一実施形態による1対のカプセルに例示のシャトルを関連付ける第2のステップを示す概略図である。
【図２Ｃ】1対のカプセルを収容するシャトルを閉鎖するステップである、本発明の一実施形態による1対のカプセルに例示のシャトルを関連付ける第3のステップを示す概略図である。
【図２Ｄ】1対のカプセルを収容したシャトルをミキサ内に挿入するステップである、本発明の一実施形態による1対のカプセルに例示のシャトルを関連付ける第4のステップを示す概略図である。
【図３Ａ】本発明の一実施形態による、ミキサ内に配置されたシャトル内に収容されたカプセルの一方または他方を交互に圧迫する圧力部材の第1の交互動作相の概略内部上面図である。
【図３Ｂ】本発明の一実施形態による、ミキサ内に配置されたシャトル内に収容されたカプセルの一方または他方を交互に圧迫する圧力部材の第2の交互動作相の概略内部上面図である。
【図４Ａ】以前にミキサ内において実施されていた混合を停止するステップである、本発明の一実施形態による1対のカプセルの2つのカプセル内に元来それぞれ収容されていた相の混合物を配置する第1のステップを示す概略図である。
【図４Ｂ】混合物を収容するシャトルをミキサから抜き取るステップである、本発明の一実施形態による1対のカプセルの2つのカプセル内に元来それぞれ収容されていた相の混合物を配置する第2のステップを示す概略図である。
【図４Ｃ】混合物を収容するシャトルをミキサから離れるように移動させるステップである、本発明の一実施形態による1対のカプセルの2つのカプセル内に元来それぞれ収容されていた相の混合物を配置する第3のステップを示す概略図である。
【図５】本発明の一実施形態による1対のカプセルの2つのカプセル内に元来それぞれ収容されていた相の混合物を使用するステップを示す概略図である。
【図６】本発明の一実施形態による1対のカプセルをシャトルから取り外すステップを示す概略図である。
【図７Ａ】シャトル内に配置された場合の、共に組み立てられた本発明の一実施形態による例示の1対のカプセルの上面図である。
【図７Ｂ】シャトル内に配置された場合の、共に組み立てられた本発明の一実施形態による例示の1対のカプセルの斜視図である。
【図７Ｃ】シャトル内に配置された場合の、共に組み立てられた本発明の一実施形態による例示の1対のカプセルの底面図である。
【図８Ａ】シャトル内に配置された場合の、共に組み立てられた本発明の一実施形態による例示の1対のカプセルの側面図である。
【図８Ｂ】図7Aの例示の1対のカプセルの軸BBに沿った拡大部分断面図である。
【図８Ｃ】図8Aの例示の1対のカプセルの軸CCに沿った拡大部分断面図である。
【発明を実施するための形態】
【００６５】
図1Aは、本発明の一実施形態による1対のカプセルに関連付けられた例示のシャトルの斜視図を概略的に示す。
【００６６】
図1Bは、本発明の一実施形態による1対のカプセルに関連付けられた例示のシャトルの側面図を概略的に示す。
【００６７】
第1のカプセル1が、化粧用製品の第1の相で充填された第1のパウチ11と、雄コネクタ10と、出口オリフィス30により終端する出口通路3とを備える。
【００６８】
第2のカプセル2が、化粧用製品の第2の相で充填された第2のパウチ21と、雌コネクタ20とを備える。
【００６９】
第1の相および第2の相の均質混合は、ユーザによる使用が可能な状態にある化粧用製品をもたらす。この化粧用製品は、例えば防腐剤を完全に含まない顔用クリームなどである。第1の相は、例えば活性複合体である水性相であり、第2の相は、例えば賦形剤である脂肪相である。
【００７０】
シャトル5が、ヒンジ57を中心として回転する2つのシェル51および52を備える。第1のシェル51は、その中心に第1の通路53を、およびヒンジ57の対向側に位置する第1の出口ガイド55を備える。第2のシェル52は、その中心に第2の通路54を、およびヒンジ57の対向側に位置する第2の出口ガイド56を備える。また、シャトル5は、ヒンジ57にて装着される加熱プレート4を備え、この加熱プレート4は、雌コネクタ20内に嵌入された雄コネクタ10が横断することとなる穴40によって中心にて穿孔され、出口通路3を受けるように意図された溝41を備える。通路53および54の代わりに、シェル51および52は、シャトル5外部の圧力がカプセル1および2のパウチ11および21に対して印加されるのを可能にする中央可撓性部分を単に備えることが可能である。
【００７１】
シャトル5が開かれると、2つのシェル51および52は、相互からおよび加熱プレート4から離れるように移動し、2つのカプセル1および2は、加熱プレート4の各側に1つずつ誘導され得る。
【００７２】
図2Aは、シャトル内に1対のカプセルを挿入するステップである、本発明の一実施形態による1対のカプセルに例示のシャトルを関連付ける第1のステップを概略的に示す。
【００７３】
シャトル5が開かれると、2つのシェル51および52は、相互からおよび加熱プレート4から離れるように移動し、2つのカプセル1および2は、加熱プレート4の各側に1つずつ、換言すれば第1のシェル51と加熱プレート4との間と第2のシェル52と加熱プレート4との間にそれぞれ誘導され得る。シャトル5内に1対のカプセル1および2を挿入するこのステップは、ユーザにより手動で実施される。
【００７４】
図2Bは、シャトル内に1対のカプセルを配置するステップである、本発明の一実施形態による1対のカプセルに例示のシャトルを関連付ける第2のステップを概略的に示す。
【００７５】
カプセル1および2は、加熱プレート4の各側に1つずつ、加熱プレート4に対して押し付けられる。雄コネクタ10は、雌コネクタ20内に嵌入し、雄コネクタ10および雌コネクタ20からなるアセンブリは、穴40を通過し、出口通路3は、溝41内に収容され、出口オリフィス30は、溝41の外部に位置する。シャトル5内に1対のカプセル1および2を配置するこのステップは、ユーザにより手動で実施される。
【００７６】
図2Cは、1対のカプセルを収容するシャトルを閉鎖するステップである、本発明の一実施形態による1対のカプセルに例示のシャトルを関連付ける第3のステップを概略的に示す。
【００７７】
シェル51および52は、例えば一方が他方にスナップ嵌めされるなど共に接触し閉じるまで、相互に対してより近くに移動される。1対のカプセル1および2を収容するシャトル5が閉じられると、第1のパウチ11は、シャトル5から突出するように第1の通路53を通過し、第2のパウチ21は、シャトル5から突出するように第2の通路54を通過し、出口通路3は、出口オリフィス30を経由する外部への開口を形成するようにガイド55とガイド56との間に延在する。1対のカプセル1および2を収容するシャトル5を閉じるこのステップは、ユーザにより手動で実施される。
【００７８】
図2Dは、1対のカプセルを収容したシャトルをミキサ内に挿入するステップである、本発明の一実施形態による1対のカプセルに例示のシャトルを関連付ける第4のステップを概略的に示す。
【００７９】
シャトル5は、カプセル1および2の中にそれぞれ収容された第1の相および第2の相を共に混合する機能を有するミキサ6内に挿入されて、混合物を均質化することにより例えばユーザによってそのままかつ即座に消費される最終化粧用商品となるエマルションを形成することとなる。シャトル5は、ミキサ6内に、具体的にはミキサ6の開口60内に挿入され、ガイド55および56ならびに出口オリフィス30が、最初にミキサ6の開口60に進入することにより、開口60の底部内に収容されおよび場合によっては嵌め込まれる。シャトル5は、開口60の底部まで押されることにより、開口60内に嵌め込まれ、次いで行われることとなる混合動作中にわたって開口60内で定位置に保持される。ガイド55および56は、ミキサ6の開口60の底部に位置する場合には、一方が他方の上に閉じられ相互に押圧され、それにより出口オリフィス30の上流の出口通路3をクランプする効果が得られ、それにより相または化粧用製品は、シャトル5が閉じられミキサ6の開口60の底部に対接して位置決めされる限りにおいて、カプセル1とカプセル2との間の連通チャネルにより1対のカプセル1および2によって画定された空間から退出することは不可能となる。シャトル5が閉じられミキサ6の開口60の底部に対接して位置決めされる場合に、ガイド55および56の相互に対する閉鎖および圧力により、出口オリフィス30の上流における出口通路3のクランプが機械的に引き起こされる。1対のカプセル1および2を収容するシャトル5をミキサ6内に挿入するこのステップは、ユーザにより手動で実施される。
【００８０】
図3Aは、本発明の一実施形態による、ミキサ内に配置されたシャトル内に収容されたカプセルの一方または他方を交互に圧迫する圧力部材の第1の交互動作相の内部上面図を概略的に示す。
【００８１】
図3Bは、本発明の一実施形態による、ミキサ内に配置されたシャトル内に収容されたカプセルの一方または他方を交互に圧迫する圧力部材の第2の交互動作相の内部上面図を概略的に示す。
【００８２】
ミキサ6は、開口60内にシャトル5を受ける。第1のシェル51の対向側に位置するのは、より具体的には第1の通路53から突出する第1のパウチ11に対面するのは、例えばピストンまたは圧力フィンガなどの第1の圧力部材61であり、図3Aにおいて三角矢印により示されるこの第1の圧力部材61の側方移動(図3Aでは垂直方向および下方)により、第1のカプセル1の第1のパウチ11が圧迫されて、それにより図3Aでは視認できないカプセル間連通チャネルを経由して第2のカプセル2の第2のパウチ21に向かって第1のパウチ11の内容物が排出される。
【００８３】
第2のシェル52の対向側に位置するのは、より具体的には第2の通路54から突出する第2のパウチ21に対面するのは、例えばピストンまたは圧力フィンガなどの第2の圧力部材62であり、図3Bにおいて三角矢印により示されるこの第2の圧力部材62の側方移動(図3Bでは垂直方向および上方)により、第2のカプセル2の第2のパウチ21が圧迫されて、それにより図3Bでは視認できないカプセル間連通チャネルを経由して第1のカプセルの第1のパウチ11に向かって第2のパウチ21の内容物が排出される。
【００８４】
第1の圧力部材61および第2の圧力部材62は、アーム63と一体である。シャトル5の一方の側においては、長円形カム64が、第1のシェル51および第1のパウチ11に向かって第1の圧力部材61を押すように第1の圧力部材61に対接する。シャトル5の他方の側においては、圧縮ばね66が、第2のシェル52および第2のパウチ21に向かって第2の圧力部材62を押すように第2の圧力部材62に対接する。圧力部材61および62のそれぞれのカプセル1および2に対する交互の側方圧力移動は、円形矢印の方向において回転軸65を中心とした長円形カム64の回転によって引き起こされる。
【００８５】
長円形カム64の小寸法部分がシャトル5の中央平面に対して平行である場合には、長円形カム64は、第1の圧力部材61を圧迫し、この第1の圧力部材61は、第1のパウチ11を圧迫して、図3Aおよび図3Bにおいては視認できないカプセル間連通チャネルを経由して第2のパウチ21内に第1のパウチ11の内容物を排出する。アーム63は、シャトル5の一方の側へと移動して、シャトル5から離れるように第2の圧力部材62を移動させて、これによりばね66を圧縮する。
【００８６】
長円形カム64の大寸法部分がシャトル5の中央平面に対して平行である場合には、ばね66は、弛緩し、第2の圧力部材62を押し、この第2の圧力部材62は、第2のパウチ21を圧迫して、図3Aおよび図3Bにおいては視認できないカプセル間連通チャネルを経由して第1のパウチ11内に第2のパウチ21の内容物を排出する。アーム63は、シャトル5の他方の側へと移動して、シャトル5から離れるように第2の圧力部材62を移動させて、長円形カム64に当接させる。
【００８７】
長円形カム64の全回転の最中に、アーム63は、前後に併進移動し、第1の圧力部材61が、最初に第1のカプセル1の第1のパウチ11を1回圧迫して、第2のカプセル2の第2のパウチ21に向かって第1のパウチ11の内容物を排出させ、次いで第2の圧力部材62が、第2のカプセル2の第2のパウチ21を1回圧迫して、第1のカプセル1の第1のパウチ11に向かって第2のパウチ21の内容物を排出させ、ばね66は、最初に1回圧縮されて、次いで1回弛緩する。このサイクルは、2つの相の混合物が適切に均質化されて、例えば十分に乳化されて、ユーザによるそのままのかつ即座の使用が可能な状態である例えばエマルションなどの均質な化粧用製品を形成するまで、2〜15回、好ましくは5〜10回にわたり反復され、次いで、ユーザは、例えばかように得られた顔用クリームを顔の皮膚に対して塗布する。この顔用クリームは、使用の直前に相混合されたものであるため、防腐剤を含まない天然かつ新鮮なものである。
【００８８】
図4Aは、以前にミキサ内において実施されていた混合を停止するステップである、本発明の一実施形態による1対のカプセルの2つのカプセル内に元来それぞれ収容されていた相の混合物を配置する第1のステップを概略的に示す。2つのカプセル1および2のそれぞれからの2つの相の混合物が適切に均質化されると、圧力部材61および62は、シャトル5に対する移動を停止する。
【００８９】
図4Bは、混合物を収容するシャトルをミキサから抜き取るステップである、本発明の一実施形態による1対のカプセルの2つのカプセル内に元来それぞれ収容されていた相の混合物を配置する第2のステップを概略的に示す。ユーザの手7は、ミキサ6の開口60からシャトル5を取り外す。ミキサ6の開口60からシャトル5を取り外すことにより、シェル51および52のガイド55および56による出口オリフィス30のクランプが機械的に解除される。
【００９０】
図4Cは、混合物を収容するシャトルをミキサから離れるように移動させるステップである、本発明の一実施形態による1対のカプセルの2つのカプセル内に元来それぞれ収容されていた相の混合物を配置する第3のステップを概略的に示す。ユーザの手7は、シャトル5内に収容された化粧用製品を使用することができるようにミキサ6から離れるようにシャトル5を移動させる。この化粧用製品は、2つのカプセル1および2内に元来それぞれ収容されていた2つの相の均質な混合物である。
【００９１】
図5は、本発明の一実施形態による1対のカプセルの2つのカプセル内に元来それぞれ収容されていた相の混合物を使用するステップを概略的に示す。
【００９２】
ユーザの手7、より具体的には1つまたは複数の指70、例えば親指は、シャトル5の各側においてシェル51および52の通路53および54にてカプセル1および2のパウチ11および21を同時に圧迫して、調製済み化粧用製品8を構成する均質化された混合物を、クランプされていない出口オリフィス30を通じて退出させる。この調製済み化粧用製品8は、出口オリフィス30を通して退出し、この調製済み化粧用製品8を受けるように位置決めされたユーザの他の手71の指72の上に重力によって落下する。手71にこの化粧用製品8が存在する状態において、ユーザは、この化粧用製品8をそのままかつ即座に使用することが可能であり、例えば自身の手71で顔の上にこのスキンケアクリーム8を塗り広げる。
【００９３】
図6は、本発明の一実施形態による1対のカプセルをシャトルから取り外すステップを概略的に示す。
【００９４】
シェル51および52は、相互から離れて移動されている。ユーザは、加熱プレート4からカプセル1および2を外した後に、シャトル5から1対のカプセル1および2を取り外す。次いで、ユーザは、例えばごみ箱73などの廃棄物レセプタクル73内にこの1対のカプセル1および2を廃棄することが可能である。
【００９５】
図7Aは、シャトル内に配置された場合の、共に組み立てられた本発明の一実施形態による例示の1対のカプセルの上面図を示す。
【００９６】
図7Bは、シャトル内に配置された場合の、共に組み立てられた本発明の一実施形態による例示の1対のカプセルの斜視図を示す。
【００９７】
第1のカプセル1が、第1の相を収容する第1のパウチ11を備え、この第1の相は、第2のカプセル2の第2のパウチ21からの第2の相と混合されることにより例えばエマルションなどの均質化された混合物をもたらして、ユーザによるそのままのかつ即座の使用が可能な調製済み化粧用製品を形成するように意図される。
【００９８】
また、第1のカプセルは、第1の緩衝ゾーン12を備える。第1のパウチ11は、第1の脆弱易壊性溶接部14により第1の緩衝ゾーン12から分離される。第1のパウチ11および第1の緩衝ゾーン12からなるアセンブリは、第1の脆弱易壊性溶接部14よりも大幅に強度の高い第1の強力溶接部15によって囲まれる。
【００９９】
第1の脆弱溶接部14が第1のパウチ11に対して印加される圧力により破壊されると、第1のパウチ11内に収容された第1の相は、最初に第1の緩衝ゾーン12内に流れ、次いでカプセル間連通チャネルのセグメント13内に流れる。このセグメント13は、第2のカプセル2の方向においては雄コネクタ10が、および出口オリフィス30の方向においては出口通路3が続く。
【０１００】
第1のカプセル1の全ての三次元輪郭部は、熱形成されたシェル16により形成される。第1のカプセル1の全長L1は、例えば70.8mmである。出口通路3の全長L2は、例えば18.15mmである。第1のカプセル1の全幅L3は、例えば36.5mmである。
【０１０１】
第1の使い捨て式変形可能カプセル1は、所定量の化粧用製品の第1の相を備え、さらにこの化粧用製品の第1の相を収容する第1のパウチ11と、第1のカプセル1の外部に続く出口オリフィス30と、第1の緩衝ゾーン12、セグメント13、および出口通路3を備え、全長の一部にわたる狭隘部により出口オリフィス30に対して第1のパウチ11を連結する無障害チャネルと、この無障害チャネルから第1のパウチ11を分離する第1の易壊性壁部14とを備える。化粧用製品の第1の相の全てが、第1のパウチ11の全体を満たし、第1の易壊性壁部14の裂開により、化粧用製品の第1の相の少なくとも一部分が無障害チャネルに進入し、他の易壊性壁部は、第1のパウチ11と出口オリフィス30との間のこの無障害チャネル内に位置する。
【０１０２】
第1の使い捨て式変形可能カプセル1は、混合された場合に調製済み化粧用製品を形成する2つの相の所定量の一方のみを収容する第1のパウチ11と、第1の易壊性壁部14により第1のパウチ11から分離された空の第1の緩衝ゾーン12であって、化粧用製品が中に存在しない空の第1の緩衝ゾーン12と、一方の側にて第1の緩衝ゾーン12へと通じ他方の側にて出口オリフィス30で第1のカプセル1の外部へと通じる、セグメント13および出口通路3を備えるチャネル部分とを備える。
【０１０３】
第1の易壊性壁部14が裂開される前には、空の第1の緩衝ゾーン12は、第1の緩衝ゾーン12の壁部の一方が他方に対接する状態で配置される完全扁平化位置にある。
【０１０４】
第1の易壊性壁部14が裂開された後では、第1のパウチ11は、第1の緩衝ゾーン12内に延在し、したがって第1の緩衝ゾーン12を備え、延長化された第1のパウチ11の容積を増大させる。
【０１０５】
有利には、第1のパウチ11は、図7Aの平面でもある扁平化された第1のパウチ11の平面内においてほぼ凸状の形状部を有し、第1の緩衝ゾーン12は、扁平化された第1のパウチ11の平面内において、第1のパウチ11のほぼ凸状の形状に対して相補的なほぼ凹状の形状を有する。第1のパウチ11および第1の緩衝ゾーン12からなるアセンブリは、扁平化された第1のパウチ11の平面内においてほぼ凸状の形状を有する。第1のパウチ11は、扁平化された第1のパウチ11の平面内においてほぼ円形の形状を有し、第1の緩衝ゾーン12は、第1のパウチ11の平面内においてほぼU字形状を有し、端部に向かってより細くなるアーム121および122を有する。
【０１０６】
図7Cは、シャトル内に配置された場合の、共に組み立てられた本発明の一実施形態による例示の1対のカプセルの底面図を示す。
【０１０７】
第2のカプセル2は、第1のカプセル1と同様である。第2のカプセル2は、第2の相を収容する第2のパウチ21を備え、この第2の相は、第1のカプセル1の第1のパウチ11からの第1の相と混合されることにより例えばエマルションなどの均質化された混合物をもたらして、ユーザによるそのままのかつ即座の使用が可能な調製済み化粧用製品を形成するように意図される。
【０１０８】
第2のカプセルは、第2の緩衝ゾーン22をさらに備える。第2のパウチ21は、第2の脆弱易壊性溶接部24により第2の緩衝ゾーン22から分離される。第2のパウチ21および第2の緩衝ゾーン22からなるアセンブリは、第2の脆弱易壊性溶接部24よりも大幅に強度の高い第2の強力溶接部25によって囲まれる。
【０１０９】
第2の脆弱溶接部24が第2のパウチ21に対して印加される圧力により裂開されると、第2のパウチ21内に収容された第2の相は、初めに第2の緩衝ゾーン22内に流れ、次いでカプセル間連通チャネルのセグメント23内に流れる。このセグメント23は、第1のカプセル1の方向において雌コネクタ20が続く。
【０１１０】
第2のカプセル2の全ての三次元輪郭部は、熱形成されたシェル16により形成される。第2の緩衝ゾーン22は、扁平化された第2のパウチ21の平面内においてほぼU字形状を有し、端部に向かってより細くなるアーム221および222を有する。
【０１１１】
図8Aは、シャトル内に配置された場合の、共に組み立てられた本発明の一実施形態による例示の1対のカプセルの側面図を示す。
【０１１２】
熱形成されたシェル16は、カプセル1および2の三次元部分を形成する。平坦フィルム17が、第1のカプセル1および第2のカプセル2の両方に関して熱形成されたシェル16を覆う。カプセル間連通チャネルは、セグメント13および雌コネクタ20に嵌入された雄コネクタ10により形成される第1の直角屈曲部と、雌コネクタ20に嵌入された雄コネクタ10およびセグメント23により形成される第2の直角屈曲部とを備える。パウチ11とパウチ21との間における混合物の流れは、矩形の3つの辺を形成する経路を流れ、第1の長辺は、第1のパウチ11、第1の緩衝ゾーン12、およびセグメント13を備え、第2の長辺は、第2のパウチ21、第2の緩衝ゾーン22、およびセグメント23を備え、短辺は、前記2つの長辺に接合し、雌コネクタ20に嵌入された雄コネクタ10を備える。
【０１１３】
共に組み立てられた1対のカプセル1および2はそれぞれ、個人用に調製された化粧用製品を取得するために混合されることとなる2つの異なる相を備え、2つの異なる相をそれぞれ収容する、2つのカプセル1および2の中にそれぞれ備えられる、ならびに2つのパウチ11および21に対する狭隘断面の少なくとも1つの部分を備える連通チャネルにより相互連結される、2つのパウチ11および21を備える。この連通チャネルの狭隘部分は、2つの直角屈曲部を備え、第1の屈曲部は、相互に対して直角をなすチャネル部分13および10を備え、第2の屈曲部は、相互に対して直角をなすチャネル部分23および10を備える。これらの2つの直角屈曲部は、2つの直角屈曲部を備える連通チャネル狭隘部分の少なくとも一部が矩形の3つの辺を形成するように配置される。
【０１１４】
各使い捨て式変形可能カプセル1または2は、混合された場合に調製済み化粧用製品を形成する2つの相の所定量の一方のみを収容する延長パウチ11および12(または21および22)と、一方の側にて延長パウチ11および12(または21および22)内へと続き、他方の側にてカプセル1または2の外部へと続くチャネルを形成する狭隘部とを備える。各延長パウチ11および12(または21および22)は、扁平になっており、それぞれの2つの面の一方が、平坦であり、他方の面が、前記パウチに対する機械的圧力により延長パウチ11および12(または21および22)の内容物の放出を可能にするように少なくとも部分的に凸状および可撓性である。
【０１１５】
各延長パウチ11および12(または21および22)は、易壊性壁部14または24により分離された2つのコンパートメント11および12(または21および22)と、実際のパウチ11または21と、易壊性壁部14または24の裂開後に実際のパウチ11または21が中へと延在し得る隣接する緩衝ゾーン12または22とを備える。相が、このチャネル13または23内へと開口していないコンパートメント11または21内にのみ位置することにより、この相を備えるこのコンパートメント11または21のみが、易壊性壁部14または24の裂開前に凸状となる。したがって、この相は、延長されたパウチ11および12(または21および22)の2つのコンパートメント11および12(または21および22)を分離する易壊性壁部14または24により、対応するパウチ11および12(または21および22)内の相の真空充填および封止が可能となるため、例えば保管中などに良好に保存されることになる。
【０１１６】
図8Bは、図7Aの例示の1対のカプセルの軸AAに沿った拡大部分断面図を示す。
【０１１７】
雄コネクタ10は、雌コネクタ20に嵌入される。雄コネクタ10および雌コネクタ20は、剛性プラスチックから作製される。
【０１１８】
第1のカプセル1の側において、雄コネクタ10は、雌コネクタ20に嵌入された雄コネクタ10の軸に対して垂直な平面内において雄コネクタ10の基部に位置するフランジ18を有する。雄コネクタ10の内部において、狭隘チャネル部分33は、第1のカプセル1の一部である狭隘断面のチャネルセグメント13と、第2のカプセル2の一部である狭隘断面のチャネルセグメント23との間において流体連通を確立する。このフランジ18は、カプセル間連通チャネルの第1の直角屈曲部の頑丈性を上昇させる。
【０１１９】
第2のカプセル2の側において、雌コネクタ20は、雌コネクタ20に嵌入された雄コネクタ10の軸に対して垂直な平面内において雌コネクタ20の基部に位置するフランジ28を有する。雄コネクタ10の内部において、狭隘チャネル部分33は、第1のカプセル1の一部である狭隘断面のチャネルセグメント13と、第2のカプセル2の一部である狭隘断面のチャネルセグメント23との間において流体連通を確立する。このフランジ28は、カプセル間連通チャネルの第2の直角屈曲部の頑丈性を上昇させる。
【０１２０】
図8Cは、図8Aの例示の1対のカプセルの軸BBに沿った拡大部分断面図を示す。
【０１２１】
狭隘断面のチャネルセグメント13、狭隘チャネル部分33、および狭隘断面のチャネルセグメント23はいずれも、狭隘断面に関して同一の数値を有する。
【０１２２】
セグメント13およびセグメント23の幅L4は、例えば2.31mmである。フランジ18および28の外径D1は、例えば9.30mmである。狭隘チャネル部分33の内径D2は、例えば1.3mmである。雌コネクタ20の外径D3は、例えば5.30mmである。雄コネクタ10および雌コネクタ20の高さH1は、例えば4.30mmである。セグメント13およびセグメント23の高さH2は、例えば0.75mmである。
【０１２３】
当然ながら、本発明は、説明され示される例および実施形態に限定されず、当業者には実現可能な多数の変形例に対しても適する。
【符号の説明】
【０１２４】
1  第1のカプセル
2  第2のカプセル
3  出口通路
4  加熱プレート
5  シャトル
6  ミキサ
7  手
8  調製済み化粧用製品、スキンケアクリーム
10  雄コネクタ、チャネル部分
11  第1のパウチ、延長パウチ、コンパートメント
12  第1の緩衝ゾーン、延長パウチ、コンパートメント
13  セグメント、チャネル、チャネル部分、チャネルセグメント
14  第1の脆弱易壊性溶接部、第1の脆弱溶接部、第1の易壊性壁部
15  第1の強力溶接部
16  熱形成されたシェル
17  平坦フィルム
18  フランジ
20  雌コネクタ
21  第2のパウチ、延長パウチ、コンパートメント
22  第2の緩衝ゾーン、延長パウチ、コンパートメント
23  セグメント、チャネル、チャネル部分、チャネルセグメント
24  第2の脆弱易壊性溶接部、第2の脆弱溶接部
25  第2の強力溶接部
28  フランジ
30  出口オリフィス
33  狭隘チャネル部分
40  穴
41  溝
51  第1のシェル
52  第2のシェル
53  第1の通路
54  第2の通路
55  第1の出口ガイド
56  第2の出口ガイド
57  ヒンジ
60  開口
61  第1の圧力部材
62  第2の圧力部材
63  アーム
64  長円形カム
65  回転軸
66  圧縮ばね
70  指
71  手
72  指
73  廃棄物レセプタクル、ごみ箱
121  アーム
122  アーム
221  アーム
222  アーム
【図１Ａ】
0006949150.tif 000002
【図１Ｂ】
0006949150.tif 000003
【図２Ａ】
0006949150.tif 000004
【図２Ｂ】
0006949150.tif 000005
【図２Ｃ】
0006949150.tif 000006
【図２Ｄ】
0006949150.tif 000007
【図３Ａ】
0006949150.tif 000008
【図３Ｂ】
0006949150.tif 000009
【図４Ａ】
0006949150.tif 000010
【図４Ｂ】
0006949150.tif 000011
【図４Ｃ】
0006949150.tif 000012
【図５】
0006949150.tif 000013
【図６】
0006949150.tif 000014
【図７Ａ】
0006949150.tif 000015
【図７Ｂ】
0006949150.tif 000016
【図７Ｃ】
0006949150.tif 000017
【図８Ａ】
0006949150.tif 000018
【図８Ｂ】
0006949150.tif 000019
【図８Ｃ】
0006949150.tif 000020